(57)【特許請求の範囲】
【請求項１】
キッチンカウンタまたは洗面カウンタ、その他の種々の目的で使用されるカウンタやキャビネット等の什器類の側周面に取り付けて使用される物品の保持具であって、
物品を狭持可能に対向配置される一対の挟持片部と、該一対の挟持片部を前記什器類に取り付けるための取り付け部と、を備え、前記一対の挟持片部のうち前記什器類に取り付けるための取り付け部側の挟持片部における開放端部には、前記一対の挟持片部の開放端部間に挿入された物品を保持する少なくともひとつの保持片部が他方の挟持片部に向けて突設されており、該少なくともひとつの保持片部は、その先端部が他方の挟持片部の開放端部よりも内側に位置するように形成されるとともに、外面には前記物品を挿入方向に向けて案内する案内面が形成されており、かつ前記什器類に取り付けるための取り付け部側の挟持片部に対向する挟持片部に複数の保持片部を突設し、前記少なくともひとつの保持片部は該複数の保持片部の間に向けて延びていることを特徴とする物品の保持具。
【請求項２】
前記一対の挟持片部が、第１挟持片と、該第１挟持片とは別個に設けられるとともに、該第１挟持片に回動自在に枢支される第２挟持片と、で構成され、前記第１挟持片及び前記第２挟持片の開放端部を互いに近接する方向に回動付勢する付勢手段を備えることを特徴とする請求項１に記載の物品の保持具。
【請求項３】
前記一対の挟持片部が１枚の板材からなるとともに、前記一対の挟持片部のうち少なくとも一方の挟持片部は弾性変形自在に構成されていることを特徴とする請求項１に記載の物品の保持具。
【請求項４】
前記取り付け部が、前記一対の挟持片部のうちいずれか一方側に形成されるとともに、前記保持片部は、少なくとも前記取り付け部が形成された挟持片部の開放端部に突設されていることを特徴とする請求項１ないし３のいずれかに記載の物品の保持具。
【請求項５】
前記什器類に取り付けた状態において、前記一対の挟持片部の開放端部が上向きに配置されることを特徴とする請求項１ないし４のいずれかに記載の物品の保持具。
【請求項６】
前記取り付け部は、前記什器類の側周面に対して引き出し自在に設けられた前面板の上端縁部に取り付け可能に構成されていることを特徴とする請求項１ないし５のいずれかに記載の物品の保持具。
【発明の詳細な説明】
【技術分野】
【０００１】
本発明は、カウンタの側周面に取り付けて使用され、布巾やタオル等の物品を保持する物品の保持具に関する。
【背景技術】
【０００２】
従来、キッチンカウンタや洗面カウンタなどにネジや接着テープ等により取り付けられ、布巾やタオル等の物品を掛けたり吊り下げたりする保持具としては、例えば、鉛直方向に延びる軸体の下方に、水平方向に延びる掛け棹を回動自在に設けるとともに、軸体の上方には、断面視でコ字形状を成すクランプを設け、クランプによって掛け具を棚（カウンタ）の突出部や棚板等に挟持させ、布巾やタオルなどを掛け棹に掛けられるようにしたものがある（例えば、特許文献１参照）。
【０００３】
【特許文献１】特開平１０−２３９６０号公報（第２頁、第１図）
【発明の開示】
【発明が解決しようとする課題】
【０００４】
しかしながら、上記特許文献１に記載の掛け具（保持具）にあっては、布巾やタオルを掛け棹に掛ける際には、布巾やタオルを２つ折りにしてその中央部を掛け棹に掛けるだけであるため、掛けるのは簡単であるが、布巾やタオルを使用する際において掛け棹から布巾やタオルがずれ落ちやすいという問題があった。
【０００５】
本発明は、このような問題点に着目してなされたもので、布巾やタオル等を簡単に保持できるとともに、使用する際に保持した布巾やタオル等の物品が簡単にずれ落ちることがない物品の保持具を提供することを目的とする。
【課題を解決するための手段】
【０００６】
前記課題を解決するために、本発明の請求項１に記載の物品の保持具は、キッチンカウンタまたは洗面カウンタ、その他の種々の目的で使用されるカウンタやキャビネット等の什器類の側周面に取り付けて使用される物品の保持具であって、
物品を狭持可能に対向配置される一対の挟持片部と、該一対の挟持片部を前記什器類に取り付けるための取り付け部と、を備え、前記一対の挟持片部のうち前記什器類に取り付けるための取り付け部側の挟持片部における開放端部には、前記一対の挟持片部の開放端部間に挿入された物品を保持する少なくともひとつの保持片部が他方の挟持片部に向けて突設されており、該少なくともひとつの保持片部は、その先端部が他方の挟持片部の開放端部よりも内側に位置するように形成されるとともに、外面には前記物品を挿入方向に向けて案内する案内面が形成されており、かつ前記什器類に取り付けるための取り付け部側の挟持片部に対向する挟持片部に複数の保持片部を突設し、前記少なくともひとつの保持片部は該複数の保持片部の間に向けて延びていることを特徴としている。
この特徴によれば、物品を保持具にて保持する際には、物品の一端部を両挟持片部の開放端部近傍に配置した後、挟持片部間に向けて押し込むことで、保持片部の外面に形成された案内面により物品が一対の挟持片部の開放端部間に確実に挿入されるように案内されるので、挟持片部を手で開放することなく、物品を簡単に保持させることができるとともに、内部に挿入された物品は蛇行した状態で保持されるので簡単に抜け落ちることがない。また、保持片部の先端部は対向する挟持片部により覆われるため、什器類の使用者が接触して怪我をする虞がない。
さらに、少なくともひとつの保持片部が他方の挟持片部に向けて突設されることで、一対の挟持片部間に物品の一部を収容可能な収容空間部が形成されるため、例えばタオルの下端が床面に接することがないように折り畳むことにより折り返し部等に厚みが生じても、該折り返し部を保持して吊り下げることができ、かつ少なくともひとつの保持片部は、取り付け部により什器類に固定される挟持片部に形成されていることで、物品が安定して保持されるばかりか、保持片部の保持強度を効果的に高めることができる。
【０００７】
本発明の請求項２に記載の物品の保持具は、請求項１に記載の物品の保持具であって、
前記一対の挟持片部が、第１挟持片と、該第１挟持片とは別個に設けられるとともに、該第１挟持片に回動自在に枢支される第２挟持片と、で構成され、前記第１挟持片及び前記第２挟持片の開放端部を互いに近接する方向に回動付勢する付勢手段を備えることを特徴としている。
この特徴によれば、第１挟持片と第２挟持片とを大きく拡開させることができるため、物品を保持しやすいとともに、保持されている物品を保持片部に対してほぼ平行な方向に引き出すことで簡単に取り外すことができる。また、第１挟持片と第２挟持片とが大きく拡開されても、物品を挟持するための付勢力が付勢手段により確実に付与されるため、保持された物品が簡単に抜け落ちることがない。
【０００８】
本発明の請求項３に記載の物品の保持具は、請求項１に記載の物品の保持具であって、
前記一対の挟持片部が１枚の板材からなるとともに、前記一対の挟持片部のうち少なくとも一方の挟持片部は弾性変形自在に構成されていることを特徴としている。
この特徴によれば、少ない部品点数で一対の挟持片部を形成できるばかりか、付勢手段を別途設けることなく物品を挟持できるため、保持具の製造コストを効果的に低減させることができる。
【０００９】
本発明の請求項４に記載の物品の保持具は、請求項１ないし３のいずれかに記載の物品の保持具であって、
前記取り付け部が、前記一対の挟持片部のうちいずれか一方側に形成されるとともに、前記保持片部は、少なくとも前記取り付け部が形成された挟持片部の開放端部に突設されていることを特徴としている。
この特徴によれば、保持片部が形成された挟持片部は、取り付け部によりカウンタの側周面に対して固定されることになるため、物品を安定して保持することができるばかりか、保持強度が効果的に高まる。
【００１０】
本発明の請求項５に記載の物品の保持具は、請求項１ないし４のいずれかに記載の物品の保持具であって、
前記什器類に取り付けた状態において、前記一対の挟持片部の開放端部が上向きに配置されることを特徴としている。
この特徴によれば、一対の挟持片部とによって挟持されたタオル等の物品が保持具の上部で保持されるので、物品をより高い位置で保持することができる。
【００１１】
本発明の請求項６に記載の物品の保持具は、請求項１ないし５のいずれかに記載の物品の保持具であって、
前記取り付け部は、前記什器類の側周面に対して引き出し自在に設けられた前面板の上端縁部に取り付け可能に構成されていることを特徴としている。
この特徴によれば、前面板を手前側に引き出すことで、保持具を簡単に取り付けることができる。
尚、前記前面板とは、例えば什器類の本体内部に収納されるとともに、該什器類の側周面に形成された開口を介して手前側に引き出し自在に設けられた引き出しや補助カウンタ等の前面側に取り付けられる板部材を含む。
【発明を実施するための最良の形態】
【００１３】
本発明に係る物品の保持具を実施するための最良の形態を実施例に基づいて以下に説明する。
【実施例１】
【００１４】
本発明の実施例を図面に基づいて説明すると、先ず図１は、実施例１におけるタオルクリップが取り付けられたキッチンカウンタを示す斜視図であり、図２（ａ）は、タオルクリップを示す平面図であり、図２（ｂ）は、タオルクリップを示す正面図であり、図２（ｃ）は、タオルクリップを示す底面図であり、図３は、タオルクリップの取り付け方を示す斜視図であり、図４（ａ）は、キッチンカウンタに取り付けられたタオルクリップを示す縦断側面図であり、図４（ｂ）は、タオルを保持させた状態のタオルクリップを示す縦断側面図であり、図５（ａ）は、タオルクリップにタオルを保持させる状態を示す斜視図であり、図５（ｂ）は、タオルクリップからタオルを外す状態を示す斜視図である。
【００１５】
図１の符号１は、室内空間をキッチン側とダイニング側とに仕切るように配置されるキッチンカウンタ１であり、このキッチンカウンタ１の天板２の上面には、ガスコンロ３、シンク４、蛇口５等が設けられているとともに、キッチンカウンタ１の側周面の一部である正面には、ガスコンロ３の操作部６や複数の引き出し７，８が設けられている。各引き出し７，８の正面側には、該引き出し７，８の収納部（図示略）をキッチンカウンタ１の本体内部から引き出し自在とするための開口（図示略）を閉塞可能な正面板９，１０が取り付けられており、各正面板９，１０の上部には、正面板９，１０の左右方向の全幅に渡って延びる取手１１，１２が配置されている。この取手１１，１２は、側面視で正面側が開口される略コ字形状を成している。
【００１６】
これら引き出し７，８のうち、最上段の引き出し７における正面板９の上端縁部には、物品の一例であるタオル１３を保持する保持具としてのタオルクリップ１４が取り付けられている。このタオル１３は、長手方向に４つ折り（２つ折り以上）に折り畳まれた状態でタオルクリップ１４に保持されて吊り下げられている。
【００１７】
上段の引き出し７における正面板９の内側には、図３に示すように、収納部（図示略）の正面側に固定された正面枠板１５が設けられている。正面板９の下端は、この正面枠板１５の下端に枢着され、下端を軸心として揺動運動するようになっており、使用者が正面板９の上部を手前に引くことで開くことができる。尚、取手１１は、正面枠板１５の上端に固着されており、この取手１１を掴んで手前に引き出すことで引き出し７全体を前方へ引き出すことで取り出すことができるようになっている。
【００１８】
正面板９の上端には、横長に形成されたロック爪１６が設けられ、このロック爪１６が取手１１の下部に設けられた係合部（図示略）に係合されることにより、正面板９の揺動開放が阻止されるようになっている。更に、正面板９にはロック爪１６と連係された解除片１７が設けられており、使用者が解除片１７を操作することでロック爪１６が回動して係合部（図示略）の係合状態が解除され、正面板９を前方に揺動開放させることができる。また、正面板９と正面枠板１５間には、左右一対の折り畳み式のリンク部材１８が設けられており、正面板９が所要角度開放された際に、正面板９がリンク部材１８によって支持されるようになっている。
【００１９】
また、正面枠板１５には前面が開放する収容凹部１９が形成されており、該収容凹部１９の前面は正面板９により閉鎖されるようになっている。収容凹部１９内には複数のフック２０が設けられ、これらのフック２０に、しゃもじ、レードル、フライ返し等の長物の台所用品２１を吊り下げて収納できるようになっており、該収容凹部１９内に使用頻度の高い台所用品２１を収容しておくことで、引き出し７全体を正面側に引き出すことなく台所用品２１を取り出せるようになっている。尚、前述したタオルクリップ１４は、収容凹部１９を開閉自在とする正面板９の上端縁部に取り付けられている。
【００２０】
次に、本実施例のタオルクリップ１４の構造を、図２及び図４に基づいて詳述する。尚、以下において、図２（ａ）の紙面下方側、図２（ｂ）の紙面手前側、図２（ｃ）の紙面上方側、図４（ａ）及び図４（ｂ）の紙面右側をそれぞれタオルクリップ１４の正面側として説明する。
【００２１】
図２（ｂ）に示すように、タオルクリップ１４は、正面視で略長方形状を成しており、その長手方向が水平方向を向くように配置されている。図４（ａ）に示すように、タオルクリップ１４は、当該タオルクリップ１４本体をキッチンカウンタ１の正面（側周面）に取り付けるための取り付け部２７と、該取り付け部２７側に配置され、該取り付け部２７が一体的に形成された第１挟持片部を構成する第１挟持片２３と、該第１挟持片２３に対向するように配置される第２挟持片部を構成する第２挟持片２２と、から主に構成されている。
【００２２】
図４に示すように、互いに対向配置された前後一対の第１挟持片２３及び第２挟持片２２は、それぞれの上端部が枢軸２４を介して枢支（連結）され、下端部側が開放自在な開放端部となっているとともに、枢軸２４の周囲に設けられた付勢手段としてのコイルバネ２５により、第２挟持片２２の下端部が第１挟持片２３側に向けて回動付勢されており、この付勢力にてタオル１３を狭持できるようになっている。尚、第２挟持片２２は、図４（ｂ）に示すように、枢軸２４を軸心として上方側に所定角度（約５０°）開放できるようになっているため、例えば４つ折りに折り畳まれたタオル１３の折り返し部等の厚みがある部位であっても、第２挟持片２２及び第１挟持片２３間に挟み込めるようになっている。
【００２３】
また、枢軸２４は、第２挟持片２２の上端部と取手１１の上端部とがほぼ同一の高さとなるように、正面板９の上端縁部よりも上方位置に配置されているため、より高い位置でタオル１３を保持することができるようになっている。
【００２４】
第１挟持片２３の背面下端部には、正面板９の上端縁前部に係合可能な係合爪２３ｂが突設されているとともに、この係合爪２３ｂの上方からは、正面板９の上端縁後部に係合可能な係合爪２６ａが先端に形成された弾性変形自在な係合片２６が背面側に向けて延設されており、これら係合片２６と第１挟持片２３とにより、正面板９の上端縁部に上方から嵌合可能な略下向きコ字形の取り付け部２７が形成されている。尚、係合片２６の上面には、コイルバネ２５の一端が固定されるバネ保持部２８が上方に向けて延設されている。
【００２５】
このように構成されたタオルクリップ１４を正面板９に取り付けるには、図３に示すように正面板９を手前側に揺動させて収容凹部１９を開放した状態で、第１挟持片２３の係合爪２３ｂを正面板９の上端縁前部に引っ掛けた後、図４に示すように、係合爪２６ａを正面板９の上端縁後部に弾性係合させる。このように取り付け部２７は、キッチンカウンタ１本体に対して揺動開放（引き出し）自在に設けられた正面板９の上端縁部に、上方から嵌合させることにより簡単に取り付けできる嵌合部として形成されているため、正面板９を手前側に引き出し、ネジ等を用いることなく上方から嵌合するだけの簡単な操作でタオルクリップ１４をキッチンカウンタ１の正面側に簡単に取り付けることができる。
【００２６】
図２（ａ）及び図４（ａ）に示すように、タオルクリップ１４の背面側には、タオルクリップ１４内部のコイルバネ２５を隠蔽するカバー部材２９が取り付けられている。このカバー部材２９は、断面視で背面側に膨出するように所定の曲率で湾曲された形状となっていることで、正面板９が手前に揺動されて開放されるときに、取手１１にカバー部材２９が引っかかることがなく、タオルクリップ１４が正面側にスムーズに移動され、正面板９が揺動開放される。
【００２７】
また、タオルクリップ１４が取り付けられた上段の引き出し７全体を手前側に引き出すと、正面板９の前方への移動とともにタオルクリップ１４も前方へ引き出されるので、引き出し７内へ収納物を出し入れする際に、タオル１３やタオルクリップ１４が邪魔になることがない。尚、引き出し７を閉鎖するときも、正面板９の後方への移動とともにタオルクリップ１４が移動されて元の位置に戻る。
【００２８】
図４に示すように、第２挟持片２２の下端部（開放端部）には、第１挟持片２３側に向けて突出する保持片部としてのフック片３０，３１が上下に形成されている。このフック片３０，３１は、第２挟持片２２の内面に対して若干上向き（枢軸２４向き）に延びており、下方に配置されるフック片３１の長手幅よりも上方に配置されるフック片３０の長手幅の方が若干長寸に形成されている（図２（ｃ）参照）。尚、下方に配置されるフック片３１の下面には、下端部側から上方に向けて内向きに傾斜する案内面としてのテーパ面３１ａが形成されている。
【００２９】
また、図２（ｂ）に示すように、第２挟持片２２における下端部左右側の角部２２ａは所定の曲率でラウンド形成されており、使用者の体や子供の頭が角部２２ａに接触することがあっても怪我をしにくいので安全である。
【００３０】
一方、第１挟持片２３の下端部（開放端部）には、図４に示すように、第２挟持片２２側に形成された２つのフック片３０，３１の間に向けて略水平方向に延びるフック片３２が突設されている。このフック片３２は、第１挟持片２３の左右方向に向けて延設されているとともに（図２（ｃ）参照）、突出長さは、フック片３０，３１の突出長さよりも長寸に形成されている。また、フック片３２の先端部は若干上向きに屈曲されており、該フック片３２に買物袋等の把持部３３（図４（ｂ）参照）を引っ掛けて使用することもできるようになっているとともに、先端部から簡単に抜け落ちることがない。
【００３１】
尚、フック片３２は、取り付け部２７によりキッチンカウンタ１の正面側に固定される第１挟持片２３に形成されていることで、タオル１３が安定して保持されるばかりか、フック片３２の保持強度が効果的に高まる。
【００３２】
また、フック片３２の下面（外面）は、下端部側から上方に向けて内向きに傾斜する案内面としてのテーパ面３２ａが形成されている。つまり、第１挟持片２３及び第２挟持片２２の下端部には、タオル１３を第１挟持片２３及び第２挟持片２２間に挿入する方向に向けて案内する傾斜状のテーパ面３１ａ、３２ａが側面視略ハの字形に配置され、受け口が広く、かつ挿入方向に向けて先細りとなる案内面が形成されている。
【００３３】
さらに、これら第２挟持片２２及び第１挟持片２３の下端部に形成されるフック片３２，３１の先端部は、それぞれ対向する第２挟持片２２または第１挟持片２３の下端部よりも上方（内側）に入り込んでいるため、第１挟持片２３及び第２挟持片２２の下端部下方からタオル１３を上向きに移動するだけで、第２挟持片２２の下端部が開放されてタオル１３が第１挟持片２３及び第２挟持片２２の下端部間に確実に挿入され、コイルバネ２５による付勢力及びフック片３２，３１，３０により保持されるようになっている。また、特に使用者側に向けて突出するフック片３２の先端部は、第２挟持片２２により被覆されるので、キッチンカウンタ１の使用者や子供等が接触して怪我をする虞がない。
【００３４】
また、図２（ｃ）に示すように、第１挟持片２３のフック片３２の左右角部３２ａは所定の曲率でラウンド形成されているため、フック片３２の左右斜め下方側からでもタオル１３を左右角部３２ａに引っ掛けることなく、第２挟持片２２と第１挟持片２３との間に挿入できるようになっている。
【００３５】
図４（ａ）に示すように、第２挟持片２２及び第１挟持片２３の枢軸２４近傍には、各々内方側に突出されて互いに先端部が当接する当接片３４，３５が形成されており、コイルバネ２５によって第１挟持片２３に対して第２挟持片２２が近接する方向に付勢されて閉状態（非保持状態）となったときに、当接片３４，３５同士が当接することによりフック片３２の先端部と第２挟持片２２内面との間に所定幅の隙間が形成され、かつ、フック片３２とフック片３０，３１との間にも所定の間隙（フック片３０とフック片３２との間の間隙は約４ｍｍ、フック片３１とフック片３２との間の間隙は約１.５ｍｍ）が形成される位置にて、第２挟持片２２が保持されるようになっており、このように間隙が形成されることで、厚手のタオル１３を挿入しやすくなる。
【００３６】
また、第１挟持片２３の下端部内面から、所定長さのフック片３２が内面に対して略垂直に突設され、第１挟持片２３とフック片３２とが側面視略Ｌ字状に形成されているとともに、第２挟持片２２が、上端部側から下端部側に向けて前方に膨出するような湾曲形状をなしていることで、閉状態において、第２挟持片２２と第１挟持片２３との間に挿入されたタオル１３等の物品の一部を収容可能な側面視略三角形状をなす比較的大きな空間部３６（保持空間）が形成されるため、特に図４（ｂ）に示すように、例えば４つ折り（２つ折り以上）に折り畳まれたタオル１３における厚手の折り返し部でも第２挟持片２２と第１挟持片２３との間に挿入して挟持される。
【００３７】
次に、このように構成されたタオルクリップ１４の使用状況を図４及び図５に基づいて説明すると、図５（ａ）に示すように、タオルクリップ１４にタオル１３を保持させる場合には、折り畳んだタオル１３の左右両側を掴み、該タオル１３をタオルクリップ１４の下方側に位置させた後、タオル１３を図５（ａ）中の白矢印方向に向けて押し上げる。上昇したタオル１３は、フック片３１のテーパ面３１ａ及びフック片３２のテーパ面３２ａにてハの字形に構成されるテーパ面３１ａ、３２ａにより、第１挟持片２３と第２挟持片２２との下端部間に形成される間隙に向けて案内されるとともに、使用者が第２挟持片２２を手で直接掴んでタオルクリップ１４を拡開させなくても、挿入されるタオル１３に押されて第２挟持片２２の下端部が拡開するため、第２挟持片２２と第１挟持片２３との間にタオル１３を容易に挿入することができる。
【００３８】
また、図５（ｂ）に示すように、タオル１３が保持された状態において、複数のフック片３０，３１，３２がタオル１３を前後方向から挟み込むので、フック片３０，３１，３２によってタオル１３がタオルクリップ１４から抜ける方向に対して摺動抵抗が大きくなる。そのためタオル１３がタオルクリップ１４から抜け難く、タオル１３が自重によって滑り落ちることが防止される（図４（ｂ）参照）。
【００３９】
更に、第１挟持片２３の下端部から第２挟持片２２側に向けてフック片３２が突設されていることで、閉状態において第1挟持片２３と第２挟持片２２との間に比較的大きな空間部３６が形成されるため、折り畳まれたタオル１３の厚手の部位でも保持することができ、これにより、タオル１３が下方側に長く垂れ下がって下端が床面に接すること等が防止されるとともに、キッチンカウンタ１の下段側の引き出し８を開放する際において、垂れ下がったタオル１３が邪魔になることがない。
【００４０】
尚、タオルクリップ１４は、タオル１３を、別部材からなる一対の第２挟持片２２及び第１挟持片２３で挟み込んで保持する構造であるため、第１挟持片２３に対して第２挟持片２２を大きく拡開させることができるとともに、第２挟持片２２がコイルバネ２５により第１挟持片２３に向けて付勢されるので、第２挟持片２２と第１挟持片２３との間が大きく拡開されても、その挟持力が弱まることなくタオル１３が挟持される。
【００４１】
また、タオルクリップ１４からタオル１３を取り外すときには、図５（ｂ）中白矢印で示すように、タオル１３を手前側に水平方向に引き抜くことで、第２挟持片２２が上方側に揺動され、第１挟持片２３と第２挟持片２２との間が大きく拡開するため、タオル１３を略水平に引き抜くだけで、フック片２３に引っ掛けることなく簡単に取り外すことができる。
【００４２】
このように使用者は、タオル１３を保持する際や取り外す際において、第２挟持片２２を掴んで拡開させることなく、タオル１３をタオルクリップ14の下方側から上向きに押し込んだり、水平方向に引き抜くだけで、タオルクリップ１４に容易に取り付けたり取り外したりすることができる。
【００４３】
以上説明したように、本発明の実施例としてのタオルクリップ１４にあっては、タオル１３をタオルクリップ１４にて保持する際には、タオル１３の一端部を第１挟持片２３及び第２挟持片２２の開放端部近傍に位置させた後、内部の空間部３６に向けて押し込むことで、フック片３１、３２の外面に形成されたガイド面としてのテーパ面３１ａ、３２ａによりタオル１３が第１挟持片２３及び第２挟持片２２の開放端部間に確実に案内されるので、第２挟持片２２を手で開放することなく、タオル１３を簡単に挿入することができるとともに、内部に挿入されたタオル１３はフック片３２，３１，３０にて確実に保持されるので、簡単に抜け落ちることがない。また、フック片３２の先端部は第２挟持片２２より覆われるため、キッチンカウンタ１の使用者が接触して怪我をする虞がない。
【００４４】
さらに、フック片３２，３１，３０がそれぞれ対向する挟持片に向けて突設されることで、第１挟持片２３及び第２挟持片２２間にタオル１３の一部を収容可能な空間部３６が形成されるため、例えばタオル１３の下端が床面に接することがないように折り畳むことで厚みが生じたり、厚手の生地からなるタオル１３であっても、タオルクリップ１４に保持させて吊り下げることができる。
【実施例２】
【００４５】
次に、実施例２に係るタオルクリップ３７につき、図６〜図８に基づいて説明する。尚、前記実施例に示される構成部分と同一構成部分に付いては同一符号を付して重複する説明を省略する。図６は、実施例２におけるタオルクリップ３７を示す斜視図であり、図７（ａ）は、タオルクリップ３７を示す平面図であり、図７（ｂ）は、タオルクリップ３７を示す正面図であり、図７（ｃ）は、タオルクリップ３７を示す底面図であり、図８（ａ）は、キッチンカウンタ１に取り付けられたタオルクリップ３７を示す縦断側面図であり、図８（ｂ）は、タオル１３を保持させた状態のタオルクリップ３７を示す縦断側面図である。
【００４６】
以下、図７（ａ）の紙面下方側、図７（ｂ）の紙面手前側、図７（ｃ）の紙面上方側、図８（ａ）及び図８（ｂ）の紙面右側をそれぞれタオルクリップ３７の正面側として説明する。
【００４７】
図６に示すように、キッチンカウンタ１に設けられた引き出し７における正面板９の上端縁部には、タオル１３を保持できる本実施例における保持具としてのタオルクリップ３７が取り付けられている。図７（ｂ）に示すように、タオルクリップ３７は、正面視で略長方形状を成しており、その長手方向が水平方向を向くように配置されている。
【００４８】
図８（ａ）に示すように、タオルクリップ３７は、１枚の板状の合成樹脂材を側面視略Ｕ字形に屈曲形成することにより形成されており、正面側には第２挟持片部３８が形成されるとともに、該第２挟持片部３８に対向配置される第１挟持片部３９の背面側には取り付け部４０が設けられている。
【００４９】
キッチンカウンタ１の正面に取り付けた状態で、第２挟持片部３８及び第１挟持片部３９の開放端部、つまりタオル１３が挿入される側の端部が上部に配置されており、第２挟持片部３８と第１挟持片部３９との間にタオル１３を上方から挿入して保持できるようになっている（図８（ｂ）参照）。また、第１挟持片部３９に対して第２挟持片部３８の上端部が前方向に向けて大きく弾性変形して拡開できるようになっているとともに、拡開された第２挟持片部３８は弾性復帰力によって第１挟持片部３９に向けて付勢する付勢力が付与されるようになっている（図８（ｂ）参照）。このように、タオルクリップ３７は１枚の弾性変形自在な合成樹脂板にて形成され、弾性復帰力により付勢力が得られることで、少ない部品点数で製造できるため、タオルクリップ３７の製造コストを効果的に低減させることができる。
【００５０】
また、図８（ａ）及び図８（ｂ）に示すように、第２挟持片部３８と第１挟持片部３９との上方側が開口され、かつ第２挟持片部３８が正面板９よりも上方に配置されているため、第２挟持片部３８と第１挟持片部３９によって挟持されたタオル１３が第２挟持片３８の上端部で折れ曲がって垂れ下がるようになるので、タオル１３を高い位置で保持することができ、これにより、キッチンカウンタ１の下段側の引き出し８を開放する際において、垂れ下がったタオル１３が邪魔になることがない。また、山折り状態となったタオル１３の上面を用いて、使用者が調理作業中に包丁や菜箸を拭うこともできる。
【００５１】
更に、図７（ｃ）及び図８（ａ）に示すように、第１挟持片部３９の背面側には、正面板９の上端縁後部に係合可能な係合爪４４ａが先端に形成された弾性変形自在な係合片４４が背面側に向けて延設されており、これら係合片４４と第１挟持片部３９とにより、正面板９の上端縁部に上方から嵌合可能な略下向きコ字形の取り付け部４０が形成されている。
【００５２】
また、図７及び図８（ａ）に示すように、第２挟持片部３８には、第１挟持片部３９に向かって斜め下向きに突出する３つのフック片４１が形成されているとともに、第１挟持片部３９には、第２挟持片部３８に形成された３つのフック片４１の間に向かって斜め下向きに突出する２つのフック片４２が形成されている。つまり、これらフック片４１，４２は、タオル１３の挿入方向に向けて交互に、かつ先端が下方に向けて斜傾するように設けられている。
【００５３】
図７（ａ）に示すように、第２挟持片部３８及び第１挟持片部３９のフック片４１，４２の左右角部４１ａ，４２ａは所定の曲率でラウンド形成されているとともに、図７（ｂ）に示すように、フック片４１，４２が第２挟持片部３８及び第１挟持片部３９の左右方向の中央部にのみ形成されているため、タオル１３を上方側から第２挟持片部３８及び第１挟持片部３９の上端部（開放端部）間に挿入し易くなっているばかりか、左右側の開口から水平にスライド移動させることによっても挿入できるようになっている。
【００５４】
また、図７（ｂ）に示すように、タオルクリップ３７の第２挟持片部３８における前方側（上方側）に突出した２つの角部３８ａは、所定の曲率でラウンド形成されているとともに、可撓性を有する合成樹脂等の材質で形成されていることで、使用者の体や子供の頭が角部３８ａに接触することがあっても怪我をしにくいので安全である。
【００５５】
図８（ｂ）に示すように、第２挟持片部３８と第１挟持片部３９との間に比較的大きな空間部４３（保持空間）が形成されていることにより、例えば４つ折り（２つ折り以上）に折り畳んだタオル１３の厚手の折り返し部を挟持できるようになっている。尚、閉状態のときに第２挟持片部３８と第１挟持片部３９とは接触しないようになっており、各々のフック片４１，４２同士の間にも所定の間隙が形成されていることで、上方からタオル１３を挿入し易くなっている。
【００５６】
図８（ｂ）に示すように、タオルクリップ３７にタオル１３を保持する際には、折り畳んだタオル１３をタオルクリップ３７の上方側からタオル１３を挿入することで、タオル１３がフック片４１，４２の間に入り込み、第２挟持片部３８の上端部が弾性変形により前方側に揺動されてタオルクリップ３７が拡開するので、使用者は第２挟持片部３８を手で直接掴んでタオルクリップ３７を拡開させなくても、タオル１３を容易に保持させることができる。
【００５７】
さらに図８（ａ）に示すように、第２挟持片部３８及び第１挟持片部３９に設けられたフック片４１，４２は、タオル１３の挿入方向に向かって狭まるように側面視で略Ｖ字形をなすように配置されているため、フック片４１，４２の間にタオル１３を滑り込ませ易くなっている。また、図８（ｂ）に示すように、タオル１３を保持した状態で、フック片４１，４２がタオル１３を前後方向から下方に向けて押し込むことで、タオル１３が蛇行状になり、タオル１３がタオルクリップ３７から抜ける方向に対して摺動抵抗が大きくなり、タオル１３がタオルクリップ３７から抜け難くなる。
【００５８】
また、タオルクリップ３７からタオル１３を取り外すときには、タオル１３を上方手前側に向けて引き抜くことで、第２挟持片部３８が前方側に揺動されて第１挟持片と第１挟持片部３９との間が拡開するため、タオル１３を取り外すことができる。このように、使用者は第２挟持片部３８を掴んでタオルクリップ３７を拡開させなくても、タオル１３を水平方向に引き抜くだけで容易に取り外すことができる。尚、タオル１３を第２挟持片部３８と第１挟持片部３９の間から水平方向に抜き取ることもできる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例では、物品の保持具が設けられるカウンタの一例として、キッチンスペースに設置される対面式のキッチンカウンタが適用されていたが、本発明はこれに限定されるものではなく、例えば側周面の一部（例えば背面）を壁面等に当接した状態で設置されるキッチンカウンタに本発明の保持具を設けてもよい。さらに、キッチンスペースに設置されるキッチンカウンタに限らず、洗面所に設置される洗面カウンタ、あるいはその他の種々の目的で使用されるカウンタやキャビネット等の什器類に本発明の保持具を設けてもよい。
【００６１】
また、前記実施例では、キッチンカウンタ１の側周面の一例である正面にタオルクリップ１４，３７が設けられていたが、タオルクリップ１４，３７の配置位置は正面に限定されるものではなく、キッチンカウンタ１の上面（天板面）及び底面以外の面である左右側面や背面の所定箇所に保持具を設けてもよい。
【００６２】
また、前記実施例では、タオルクリップ１４，３７の取り付け部２７は、引き出し７の正面板９の上端縁部に嵌合することで取り付けできるように構成されていたが、本発明はこれに限定されるものではなく、係合部の係合、接着剤やネジ等により取り付けできるようにしてもよい。また、取り付け位置は正面板９の上端縁部だけでなく、天板２の前端縁や、正面板９及びキッチンカウンタ１の正面に取り付けできるように構成されていてもよい。
【００６３】
更に、前記実施例では、引き出し７における正面枠板１５の前面に形成された収容凹部１９を開閉自在とする正面板９の上端縁にタオルクリップ１４，３７が取り付けられていたが、本発明はこれに限定されるものではなく、保持具としてのタオルクリップ１４，３７を、例えば図９に示されるように、キッチンカウンタ１の本体に対して引き出し自在に設けられた引き出しであって、前述したような正面枠板１５や収容凹部１９を有しない引き出し７’の前端に設けられる正面板９’の上端縁に取り付けてもよいし、あるいは特に図示はしないが、天板２の直下等に引き出し自在に設けられる補助テーブル等の前端に取り付けられる正面板や、引戸或いは開き扉等、キッチンカウンタ１の側周面に対して手前側に引き出し（開放）自在に設けられた種々の板材に取り付けてもよい。
【００６４】
また、本発明の物品の保持具は、前記実施例に記載したようにキッチンカウンタ１の側周面に対して手前側に引き出し（開放）自在に設けられた種々の板材（正面板９等）だけでなく、キッチンカウンタ１の側周面に固定された幕板等の上端縁に取り付けてもよいし、あるいは保持具における取り付け部に磁石や接着剤またはネジ等の固定手段を設け、該固定手段を介してキッチンカウンタにおける側周面に直接取り付けてもよい。
【図面の簡単な説明】
【００６５】
【図１】実施例１におけるタオルクリップが取り付けられたキッチンカウンタを示す斜視図である。
【図２】（ａ）は、タオルクリップを示す平面図であり、（ｂ）は、タオルクリップを示す正面図であり、（ｃ）は、タオルクリップを示す底面図である。
【図３】タオルクリップの取り付け方を示す斜視図である。
【図４】（ａ）は、キッチンカウンタに取り付けられたタオルクリップを示す縦断側面図であり、（ｂ）は、タオルを保持させた状態のタオルクリップを示す縦断側面図である。
【図５】（ａ）は、タオルクリップにタオルを保持させる状態を示す斜視図であり、（ｂ）は、タオルクリップからタオルを外す状態を示す斜視図である。
【図６】実施例２におけるタオルクリップを示す斜視図である。
【図７】（ａ）は、タオルクリップを示す平面図であり、（ｂ）は、タオルクリップを示す正面図であり、（ｃ）は、タオルクリップを示す底面図である。
【図８】（ａ）は、キッチンカウンタに取り付けられたタオルクリップを示す縦断側面図であり、（ｂ）は、タオルを保持させた状態のタオルクリップを示す縦断側面図である。
【図９】実施例１に記載のタオルクリップの取り付け箇所の変形例を示す縦断側面図である。
【符号の説明】
【００６６】
１                キッチンカウンタ（カウンタ）
７，８            引き出し
９，１０          正面板（前面板）
１３              タオル
１４              タオルクリップ（保持具）
１５              正面枠板
２２              第２挟持片（挟持片部）
２３              第１挟持片（挟持片部）
２４              枢軸
２５              コイルバネ（付勢手段）
２７              取り付け部
３０，３１        フック片（保持片部）
３１ａ            テーパ面（案内面）
３２              フック片（保持片部）
３６              空間部（保持空間）
３７              タオルクリップ（保持具）
３８              第２挟持片（挟持片部）
３９              第１挟持片（挟持片部）
４０              取り付け部
４１，４２        フック片（保持片部）
４３              空間部（保持空間）
【図１】
0004757014.tif 000002
【図２】
0004757014.tif 000003
【図３】
0004757014.tif 000004
【図４】
0004757014.tif 000005
【図５】
0004757014.tif 000006
【図６】
0004757014.tif 000007
【図７】
0004757014.tif 000008
【図８】
0004757014.tif 000009
【図９】
0004757014.tif 000010